(57)【要約】【課題】印刷されるラベルのデータを簡単に入力できるようにしたラベルプリンタを提供する。【解決手段】ラベルプリンタ１Ａは、ラベル２を印刷するデータファイル４１とラベル２の内容を変更する際に参照される変換ファイル４２をメモリカード４０から取得する。変換ファイル４２で値を変更可能に設定された特定情報に関連付けられた表示名が表示部１２に表示される。入力操作部１３で値が入力されると、表示名で特定される変換ファイル４２が参照され、入力値が特定情報に変換されて出力される。【選択図】  図１
2010179521.tif 000002
【特許請求の範囲】
【請求項１】
入力値をラベルに印刷される特定情報に変換する変換規則が定義され、値を変更可能に設定された特定情報を識別する表示名と関連付けられた変換規則情報を取得する情報取得手段と、
前記情報取得手段で取得されたラベルに印刷される特定情報及び特定情報を識別する表示名が表示される表示手段と、
ラベルに印刷される特定情報に変換される前記入力値が入力される情報入力手段と、
値を変更可能に設定された特定情報に関連付けた表示名を前記表示手段に表示し、前記表示名で特定される変換規則情報を参照して、前記情報入力手段で入力された前記入力値を特定情報に変換する制御手段と
を備えたことを特徴とするラベルプリンタ。
【請求項２】
前記制御手段は、前記変換規則情報で設定された、入力値に出力値が対応付けられた変換テーブルを参照して、前記情報入力手段で入力された入力値を特定情報に変換する
ことを特徴とする請求項１記載のラベルプリンタ。
【請求項３】
前記制御手段は、前記変換規則情報で設定された、入力値に対して演算で出力値を求める関数テーブルを参照して、前記情報入力手段で入力された前記入力値を特定情報に変換する
ことを特徴とする請求項１または２記載のラベルプリンタ。
【請求項４】
前記制御手段は、前記変換規則情報で設定された異なる変換規則に従い、１つの入力値を複数の異なる特定情報に変換する
ことを特徴とする請求項１、２または３記載のラベルプリンタ。
【請求項５】
ラベル作成画面が表示される表示手段と、
ラベルを作成する情報が入力される情報入力手段と、
ラベルに印刷される特定情報に対応付けられる表示名が入力される表示名入力部を表示すると共に、入力値を特定情報に変換する変換規則が定義された変換規則情報と前記表示名入力部で入力された表示名を、ラベル作成画面に表示したラベルのレイアウトで設定した情報入力枠に入力された名称に関連付け、表示名で関連付けられる変換規則情報を参照して、入力値が特定情報に変換されるラベルを作成できるようにした制御手段と
を備えたことを特徴とする情報処理装置。
【発明の詳細な説明】
【技術分野】
【０００１】
本発明は、ラベルを印刷するラベルプリンタ及びラベルプリンタで印刷されるラベルを作成する情報処理装置に関する。
【背景技術】
【０００２】
従来から、リール状に巻回された台紙に貼り付けられた複数のラベルにデータを印刷するラベルプリンタが知られている。このようなラベルプリンタとして、パーソナルコンピュータで作成されたラベルのデータを、メモリカード等の記録媒体を介して取得して、パーソナルコンピュータに接続されていなくてもラベルを印刷できるようにしたラベルプリンタが提案されている（例えば、特許文献１参照）。
【先行技術文献】
【特許文献】
【０００３】
【特許文献１】特開２００５−２３８５２４号公報
【発明の概要】
【発明が解決しようとする課題】
【０００４】
パーソナルコンピュータで作成されたラベルのデータを、ラベルプリンタで変更する場合、ラベルプリンタの入力装置は、入力できる文字に制約があるものが多く、変更可能な項目は制限されている。また、値が変更可能な項目についても、変更する新たな値を正確に入力する必要があり、入力に手間が掛かっていた。
【０００５】
本発明は、このような課題を解決するためになされたもので、印刷されるラベルのデータを簡単に入力できるようにしたラベルプリンタ及びデータを簡単に入力できるようにしたラベルを作成する情報処理装置に関する。
【課題を解決するための手段】
【０００６】
上述した課題を解決するため、本発明は、入力値をラベルに印刷される特定情報に変換する変換規則が定義され、値を変更可能に設定された特定情報を識別する表示名と関連付けられた変換規則情報を取得する情報取得手段と、情報取得手段で取得されたラベルに印刷される特定情報及び特定情報を識別する表示名が表示される表示手段と、ラベルに印刷される特定情報に変換される入力値が入力される情報入力手段と、値を変更可能に設定された特定情報に関連付けた表示名を表示手段に表示し、表示名で特定される変換規則情報を参照して、情報入力手段で入力された入力値を特定情報に変換する制御手段とを備えたラベルプリンタである。
【０００７】
本発明のラベルプリンタでは、値を変更可能に設定された特定情報に関連付けられた表示名が表示手段に表示される。情報入力手段で値が入力されると、表示名で特定される変換規則情報が参照され、入力値が特定情報に変換されて出力される。
【０００８】
また、本発明は、ラベル作成画面が表示される表示手段と、ラベルを作成する情報が入力される情報入力手段と、ラベルに印刷される特定情報に対応付けられる表示名が入力される表示名入力部を表示すると共に、入力値を特定情報に変換する変換規則が定義された変換規則情報と表示名入力部で入力された表示名を、ラベル作成画面に表示したラベルのレイアウトで設定した情報入力枠に入力された名称に関連付け、表示名で関連付けられる変換規則情報を参照して、入力値が特定情報に変換されるラベルを作成できるようにした制御手段とを備えた情報処理装置である。
【０００９】
本発明の情報処理装置では、ラベル作成画面に表示したラベルのレイアウトで情報入力枠を設定し、ラベルに印刷される各種情報を入力する。ラベルプリンタ側で値を変更可能とする特定情報については、入力値を特定情報に変換する変換規則が定義された変換規則情報と、表示名入力部で入力された表示名を、情報入力枠に入力された名称に関連付け、表示名で関連付けられる変換規則情報を参照して、入力値が特定情報に変換されるラベルを作成できるようにする。
【発明の効果】
【００１０】
本発明によれば、ラベルに印刷する内容の中で、値が変更可能な項目が設定され、値が変更可能な項目に関して、入力値を変換する変換規則情報が予め設定される。この変換規則情報を、項目の表示名をキーワードとして読み出せるようにすることで、値を変更可能とした項目毎に変換規則情報を読み出すことができ、ラベル内容を変更する際の情報入力が簡素化される。
【図面の簡単な説明】
【００１１】
【図１】本実施の形態のラベルプリンタの一例を示す機能ブロック図である。
【図２】本実施の形態のラベルプリンタの一例を示す外観斜視図である。
【図３】ラベルの一例を示す説明図である。
【図４】変換ファイルの一例を示す説明図である。
【図５】表示部に表示されるデータの一例を示す説明図である。
【図６】本実施の形態の情報処理装置の一例を示す機能ブロック図である。
【図７】表示部に表示されるラベル作成画面の一例を示す説明図である。
【図８】ラベル作成画面の具体的な表示例を示す動作説明図である。
【図９】変換ファイルの具体的な一例を示す説明図である。
【図１０】ラベルプリンタでラベルの内容を変更する操作における画面の具体的な表示例を示す動作説明図である。
【図１１】特定情報の入力値として予め設定された入力値設定表の一例を示す説明図である。
【図１２】印刷されるラベルの一例を示す説明図である。
【図１３】項目追加時のラベル作成画面の具体的な表示例を示す動作説明図である。
【図１４】変換ファイルの具体的な一例を示す説明図である。
【図１５】印刷されるラベルの一例を示す説明図である。
【図１６】変換規則の他の例を示す動作説明図である。
【発明を実施するための形態】
【００１２】
以下、図面を参照して、本発明のラベルプリンタ、ラベルを作成する情報処理装置、及びラベル作成システムの実施の形態について説明する。
【００１３】
＜本実施の形態のラベルプリンタの構成例＞
図１は、本実施の形態のラベルプリンタの一例を示す機能ブロック図、図２は、本実施の形態のラベルプリンタの一例を示す外観斜視図である。
【００１４】
本実施の形態のラベルプリンタ１Ａは、例えば、図２に示すように、入力装置１０と印刷装置２０がケーブル３０で接続されて使用される。入力装置１０は、パーソナルコンピュータ等の情報処理装置で作成されたラベル２のレイアウトデータを、メモリカード４０等を利用して取り込み、必要に応じて内容が変更されたラベル２のデータを印刷装置２０に出力して、印刷装置２０でラベル２を印刷する。
【００１５】
ラベルプリンタ１Ａは、ラベル２に印刷する内容の中で、値が変更可能な項目が予め設定される。値が変更可能な項目に関して、入力値を変換する規則が決められ、変換規則に従った値が出力される。これにより、入力の簡素化等を図る。
【００１６】
図３は、ラベルの一例を示す説明図である。ラベル２には、商品または製品を特定するための特定情報３が印刷される。図３において、模式的にｂ1、ｂ10・・・と表記した特定情報３は、具体的には、「０９．１．３０」等の日付情報、「１０５０円」等の価格情報、「５０Ｈｚ」等の製品仕様情報等である。更に、商品名や製造番号等、ラベルが添付される商品や製品に応じて様々な情報が含まれる。
【００１７】
ラベル２には、特定情報３の項目名を示す項目情報４が印刷される。図３において、模式的にＡＢ・・・等と表記した項目情報４は、具体的には、「製造番号」等、例えば数字の文字列で表記される特定情報３が何を示すか特定する項目名、また、「製造年月日」と「消費期限」等の情報を区別する項目名等である。例えば、「０９．１．３０」との文字列で表記される特定情報３が、何の日付を示すか特定する必要があるとき、「製造年月日」等の項目情報４が、特定情報３に対応付けて印刷される。項目情報４は、特定情報３に対して必ず設ける必要がある情報ではない。
【００１８】
ラベル２には、上述したような文字情報の他に、バーコード５や２次元コード等、符号化された情報が特定情報として印刷される場合もある。
【００１９】
図１に示すように、メモリカード４０には、ラベル２のレイアウトデータが格納されるデータファイル４１と、入力値をラベル２に印刷する特定情報３である出力値に変換する変換規則が格納される変換ファイル４２が記憶される。
【００２０】
データファイル４１には、上述した特定情報３及び項目情報４が入力された単数または複数種類のラベル２のレイアウトデータが格納される。
【００２１】
図４は、変換ファイルの一例を示す説明図である。変換ファイル４２は変換規則情報の一例で、例えば、図４（ａ）に示すように、入力値Ａと出力値Ｂが対応付けられた変換テーブル４２Ａ、図４（ｂ）に示すように、入力値Ａと出力値Ｂの関係を定義した関数テーブル４２Ｂ等で構成される。変換テーブル４２Ａでは、入力値Ａは、ラベル２に実際に印刷される特定情報３の値ではなく、予め設定された数字や文字列等で構成される変更情報である。
【００２２】
変換ファイル４２は、項目情報４で特定される特定情報３の項目名、または、特定情報３に関連付けた任意の名称で、ファイル名４３が付けられる。
【００２３】
ラベルプリンタ１Ａでは、特定情報３と項目情報４等が入力装置１０で表示され、印刷するラベル２の内容を確認及び変更可能としている。ラベル２に印刷される特定情報３の値は、変換ファイル４２を参照して変更を可能とするか否かが予め設定される。
【００２４】
ラベルプリンタ１Ａでは、値が変更可能に設定された特定情報３について、項目情報４で特定される特定情報３の項目名、または、特定情報３に関連付けた任意の名称を対応付けて、入力装置１０で表示することで、値が変更可能な特定情報３を識別可能とする。
【００２５】
そして、変換ファイル４２のファイル名４３と、値が変更可能な特定情報３を識別するため入力装置１０で表示される表示名とを関連付けた情報とすることで、値を変更する特定情報３の表示名を選択して、対応する変換ファイル４２を読み出せるようにする。
【００２６】
以下に、各部の構成の詳細について説明すると、入力装置１０は、メモリカード４０が接続される外部インタフェース（Ｉ／Ｆ）１１を備える。メモリカード４０と外部インタフェース１１は情報取得手段の一例で、外部インタフェース１１は、メモリカード４０が挿抜される図示しないスロットと、メモリカード４０に設けられた図示しない端子と接続する端子等を備え、メモリカード４０に対してデータの読み取り及び書き込みが行われる。なお、情報取得手段としては、メモリカード４０等から取り込んだデータを記憶する内部メモリであっても良い。
【００２７】
入力装置１０は、メモリカード４０に記憶されたデータファイル４１と変換ファイル４２から、ラベル２を印刷するために必要な情報、及び特定情報３と項目情報４等のラベル２の内容に関する情報等が表示される表示部１２を備える。また、メモリカード４０に記憶されたデータファイル４１と変換ファイル４２から、ラベル２を印刷するための操作、及びラベル２の内容の修正や追加、変更等の編集の操作が行われる入力操作部１３を備える。
【００２８】
表示部１２は表示手段の一例で、例えば液晶ディスプレイ等で構成される。入力操作部１３は情報入力手段の一例で、文字や数字の入力、及び情報の選択や決定等が行える複数のボタンを備えたキー入力装置である。なお、情報入力手段としては、外部インタフェース１３ａに接続されるバーコードリーダ１３ｂであっても良い。
【００２９】
入力装置１０は、メモリカード４０に記憶されたデータファイル４１と変換ファイル４２から、ラベル２を印刷するための制御、及びラベル２の内容を編集するための制御等が行われるＭＰＵ（Micro Processing Unit）１４と、ＭＰＵ１４で実行されるプログラム等が記憶されるＲＯＭ（Read Only Memory）１５と、ＭＰＵ１４で印刷制御及び編集制御等が行われる際に、データを一時的に記憶するＲＡＭ（Random Access Memory ）１６と、印刷装置２０が接続される通信インタフェース（Ｉ／Ｆ）１７を備える。
【００３０】
ＭＰＵ１４は制御手段の一例で、入力操作部１３での操作に基づいて、メモリカード４０からデータファイル４１と変換ファイル４２を読み出し、印刷するラベル２を選択する情報、及び、値を変更可能な特定情報３に対し、特定情報３と項目情報４等のラベル２の内容に関する情報を表示部１２に表示する。
【００３１】
図５は、表示部に表示されるデータの一例を示す説明図である。ＭＰＵ１４は、値を変更可能な特定情報３について、予め設定された表示名４４に対応付けて、特定情報３の値を表示する。
【００３２】
表示名４４は、値が変更可能に設定された特定情報３に対応する変換ファイル４２のファイル名４３に関連付けられた情報で、例えば、ファイル名４３と同じであっても良い。
【００３３】
ＭＰＵ１４は、値を変更する特定情報３の表示名４４が入力操作部１３の操作で選択されると、表示名４４及び特定情報３の現在設定されている値を表示部１２に表示すると共に、表示名４４で対応する変換ファイル４２を読み出す。
【００３４】
ＭＰＵ１４は、入力操作部１３が操作されて特定情報３の新たな値が入力されると、変換ファイル４２で定義される変換規則に基づいて入力値Ａを変換して、出力値Ｂを求める。そして、入力操作部１３が操作されて印刷が指示されると、レイアウトデータと値が変更された特定情報３等を通信Ｉ／Ｆ１７から印刷装置２０へ出力する。
【００３５】
印刷装置２０は、ラベル２を印刷する印刷部２１を備える。印刷部２１は、本例では熱転写方式が用いられ、サーマルヘッドと、ラベル２を搬送する搬送機構等を有する。
【００３６】
また、印刷装置２０は、入力装置１０から出力されたデータからラベル２を印刷するための制御等が行われるＭＰＵ２２を備える。更に、ＭＰＵ２２で実行されるプログラム等が記憶されるＲＯＭ２３と、ＭＰＵ２２で印刷制御等が行われる際に、データを一時的に記憶するＲＡＭ２４と、入力装置１０が接続される通信Ｉ／Ｆ２５を備える。なお、ラベルプリンタは、入力装置と印刷装置が一体化されたものであっても良い。
【００３７】
＜本実施の形態のラベルプリンタの動作例＞
次に、各図を参照して、本実施の形態のラベルプリンタ１Ａの動作について説明する。
【００３８】
ラベルプリンタ１Ａは、データファイル４１と変換ファイル４２が作成されて保存してあるメモリカード４０が入力装置１０にセットされる。入力装置１０のＭＰＵ１４は、複数種類のラベルのレイアウトデータが作成さている場合は、ラベルを特定するラベル番号を表示部１２に表示して、印刷対象のラベル２を選択可能とする。
【００３９】
入力装置１０のＭＰＵ１４は、印刷対象のラベル２が選択されると、値を変更可能な特定情報３について、図５に示すように、予め設定された表示名４４に対応付けて、特定情報３の値を表示部１２に表示する。ある１枚のラベル２に対して、値を変更可能な特定情報３が複数項ある場合、各特定情報３に固有の表示名４４が付けられている。表示部１２に表示できる文字列等に応じて、入力操作部１３が操作されると、複数の表示名４４を順次表示する。
【００４０】
本例では、１画面に１つの表示名４４を表示することで、値を変更する特定情報３の表示名４４が入力操作部１３の操作で選択されると、表示名４４及び特定情報３の現在設定されている値を表示部１２に表示すると共に、表示名４４で対応する変換ファイル４２を読み出す。
【００４１】
例えば、図５に示すように、表示部１２に表示名４４として「ＡＡ」が表示されている場合、変換ファイル４２として、表示名「ＡＡ」で特定される図４（ａ）に示す変換テーブル４２Ａが読み出される。
【００４２】
ＭＰＵ１４は、入力操作部１３が操作されて特定情報３の新たな値が入力されると、変換テーブル４２Ａで定義される変換規則に基づいて入力値Ａを変換して、出力値Ｂを求める。例えば、入力値Ａとして「ａ1」が入力されると、出力値Ｂとして「ｂ1」に変換される。
【００４３】
また、表示部１２に表示名４４として「ＡＢ」が表示されている場合、変換ファイル４２として、表示名「ＡＢ」で特定される図４（ｂ）に示す関数テーブル４２Ｂが読み出される。
【００４４】
ＭＰＵ１４は、入力操作部１３が操作されて特定情報３の新たな値が入力されると、関数テーブル４２Ｂで定義される変換規則に基づいて入力値Ａを変換して、出力値Ｂを求める。例えば、入力値Ａとして「ａ10」が入力されると、出力値Ｂとして、値ａ10に１．０５を乗算した「ｂ10」に変換される。
【００４５】
印刷しようとするラベル２の内容の変更等が完了して、入力操作部１３が操作され印刷が指示されると、ＭＰＵ１４は、レイアウトデータと値が変更された特定情報３等を通信Ｉ／Ｆ１７から印刷装置２０へ出力する。印刷装置２０のＭＰＵ２２は、入力装置１０からデータを受信すると、印刷部２１を制御してラベル２を印刷する。
【００４６】
＜本実施の形態の情報処理装置の構成例＞
図６は、本実施の形態の情報処理装置の一例を示す機能ブロック図であり、次に、上述したラベルプリンタ１Ａで印刷されるラベル２を作成する機能を有した情報処理装置について説明する。
【００４７】
本実施の形態の情報処理装置５０Ａは、パーソナルコンピュータで構成され、メモリカード４０が接続される外部インタフェース（Ｉ／Ｆ）５１を備える。外部インタフェース５１は、メモリカード４０が挿抜される図示しないスロットと、メモリカード４０に設けられた図示しない端子と接続する端子等を備え、メモリカード４０に対してデータの読み取り及び書き込みが行われる。
【００４８】
情報処理装置５０Ａは、作成するラベル２のレイアウトデータ及び属性の設定等の画面が表示される表示部５２と、ラベル２を作成する操作等が行われる入力操作部５３を備える。
【００４９】
表示部５２は表示手段の一例で、例えば液晶ディスプレイ等で構成される。入力操作部５３は入力手段の一例で、文字や数字の入力、及び情報の選択や決定等が行えるキーボード、及びマウス等のポインティングデバイスで構成される。
【００５０】
情報処理装置５０Ａは、ラベル作成プログラムに従い上述したデータファイル４１と変換ファイル４２を作成する制御等が行われるＭＰＵ５４と、ＭＰＵ５４で実行されるラベル作成プログラム等が記憶されるＲＯＭ５５と、ＭＰＵ５４で印刷制御及び編集制御等が行われる際に、データを一時的に記憶するＲＡＭ５６と、ラベルプリンタ１Ａと直接接続する際等に使用される通信インタフェース（Ｉ／Ｆ）５７を備える。
【００５１】
ＭＰＵ５４は制御手段の一例で、入力操作部５３での操作に基づいて、上述した項目情報４及び特定情報３の入力及び配置の設定、特定情報３の書き換えを可能とするか否か等の属性の設定を行って、データファイル４１と変換ファイル４２を作成する。
【００５２】
図７は、表示部に表示されるラベル作成画面の一例を示す説明図である。ＭＰＵ５４は、ラベル表示領域６０と属性設定領域６１等を有したラベル作成画面６２を表示部５２に表示する。ＭＰＵ５４は、ラベル表示領域６０に、作成するラベルのレイアウトを示すレイアウト情報６３を表示する。
【００５３】
ＭＰＵ５４は、入力操作部５３での操作に従い、レイアウト情報６３の任意の位置に特定情報３が入力される特定情報入力枠６４を表示し、特定情報３の値を入力可能とする。また、ＭＰＵ５４は、入力操作部５３での操作に従い、レイアウト情報６３の任意の位置に項目情報４が入力される項目情報入力枠６５を表示し、項目情報４の値を入力可能とする。
【００５４】
ラベル表示領域６０において、項目情報入力枠６５には、ラベル２に実際に印刷される項目情報４の内容が入力される。一方、特定情報入力枠６４には、値を変更可能としない特定情報については、ラベル２に実際に印刷される特定情報３の値が入力される。これに対して、値を変更可能とする特定情報については、ラベル２に実際に印刷される特定情報３の値が入力されても良いし、実際に印刷される値の桁数等に合わせた任意の数字列や文字列が入力されるようにしても良い。
【００５５】
属性設定領域６１には、特定情報３の値の変更を、ラベルプリンタ１Ａで行えるようにするか否かが設定される変更許可チェックボックス６６と、値を変更可能とした特定情報３に対応付けられる表示名４４が入力される表示名入力部６７を備える。
【００５６】
ＭＰＵ５４は、変更許可チェックボックス６６にチェックが入れられると、表示名入力部６７で入力された表示名４４に関連付けられた特定情報３の値を変更可能とする。
【００５７】
ＭＰＵ５４は、表計算ソフトウエア等を利用して、図４で説明したような変換ファイル４２が作成される。この変換ファイル４２のファイル名４３と、表示名入力部６７で入力された表示名４４を関連付ける。例えば、表示名入力部６７で入力された表示名４４をファイル名として、変換ファイル４２が作成されるようにしても良い。
【００５８】
また、ラベル表示領域６０で値を変更可能とする特定情報３が入力される特定情報入力枠６４に入力された名称と、表示名入力部６７で入力された表示名４４を関連付ける。
【００５９】
そして、表示名入力部６７で入力された表示名４４をラベルプリンタ１Ａで表示して、特定情報３の値を変更する操作を受ける制御を、ラベルプリンタ１Ａで行えるようにデータを構成する。また、ラベルプリンタ１Ａで表示名４４を表示した特定情報３について、表示名４４で関連付けられた変換ファイル４２を参照して、入力値を出力値に変換する制御を、ラベルプリンタ１Ａで行えるようにデータを構成する。更に、表示名４４で関連付けられた特定情報入力枠６４で特定される位置に、変換ファイル４２に従って変換された特定情報３の値を入れてラベル２を作成する制御を、ラベルプリンタ１Ａで行えるようにデータを構成する。
【００６０】
情報処理装置５０Ａは、上述したようにラベルプリンタ１Ａでラベルの変更が行えるように構成されたデータファイル４１と変換ファイル４２を作成して、メモリカード４０に記憶する。
【００６１】
本発明では、上述したラベルプリンタ１Ａと情報処理装置５０Ａを備えて、ラベル作成システムが構成される。情報処理装置５０Ａで作成されたデータファイル４１と変換ファイル４２が記憶されたメモリカード４０がラベルプリンタ１Ａにセットされる。ラベルプリンタ１Ａは、ラベル２のレイアウトデータ等を、メモリカード４０から取り込み、必要に応じて特定情報３の値が変更されたラベル２のデータを印刷装置２０に出力して、印刷装置２０でラベル２を印刷する。
【００６２】
＜本実施の形態のラベル作成システムの動作例＞
図８は、情報処理装置でラベルを作成する動作におけるラベル作成画面の具体的な表示例を示す動作説明図、図９は、変換ファイルの具体的な一例を示す説明図、図１０は、ラベルプリンタでラベルの内容を変更する操作における画面の具体的な表示例を示す動作説明図である。
【００６３】
図８に示すように、例えば、工業製品用のラベルを作成するものとする。ラベル作成画面６２において、ラベル表示領域６０で特定情報入力枠６４を設定し、例えば「周波数」という文字列を入力する。一方、表示名入力部６７に表示名４４として「Ｈｅｒｔｚ」という文字列を入力する。そして、図９に示す変換ファイル４２は、ファイル名４３を「Ｈｅｒｔｚ」とする。
【００６４】
変換ファイル４２は、入力値Ａとして、予め決められた数値情報が設定される。本例では、１００，２００，３００・・・等の数字列である。出力値Ｂは、ラベルに実際に印刷される特定情報で、５０Ｈｚ，６０Ｈｚ，５０Ｈｚ／６０Ｈｚ等の周波数表示である。
【００６５】
図８に示すようなラベルのレイアウトデータで構成されるデータファイル４１と、図９に示すような変換ファイル４２がメモリカード４０に記憶され、ラベルプリンタ１Ａに取り込まれる。
【００６６】
ラベルプリンタ１Ａでは、図１０（ａ）に示すように、表示部１２に表示名４４として、「Ｈｅｒｔｚ」という文字列が表示される。特定情報３の値が入力されていない段階では、特定情報３としては、ラベルを作成したときに入力した「周波数」という文字列が表示される。
【００６７】
特定情報３の値の入力は、例えば、バーコードを利用する。図１１は、特定情報の入力値として予め定められたバーコードが記録された入力値設定表の一例を示す説明図である。入力値設定表９０は、変換ファイル４２で入力値Ａとして設定した数字を示すバーコードが印刷されているものとする。
【００６８】
図１に示すバーコードリーダ１３ｂで、例えば数字の「３００」を示すバーコード９１を読み取ると、ラベルプリンタ１ＡのＭＰＵ１４では、表示名４４である「Ｈｅｒｔｚ」で変換ファイル４２を参照し、バーコードリーダ１３ｂで読み取った「３００」との入力値Ａに対して、対応する出力値Ｂである「５０Ｈｚ／６０Ｈｚ」との文字列を読み出す。
【００６９】
バーコードリーダ１３ｂで読み取った入力値に対して、変換ファイル４２で定義された変換規則に従い出力値が得られると、図１０（ｂ）に示すように、表示部１２に特定情報３として実際にラベルに印刷される値である「５０Ｈｚ／６０Ｈｚ」との文字列が表示される。
【００７０】
図１２は、印刷されるラベルの一例を示す説明図で、製品の仕様を示す特定情報３として、「５０Ｈｚ／６０Ｈｚ」との文字列が印刷される。例えば、ラベルプリンタ１Ａで数字は入力できるが、英小文字の入力ができないような仕様であっても、入力値Ａを数字の組み合わせで設定することで、単位の「Ｈｚ」を印刷できるようになる。従って、ラベルプリンタ１Ａで入力可能な文字の種類の制約を受けずに、ラベルの内容をラベルプリンタ１Ａ側で変更できる。また、少ない桁数の文字列から、多い桁数の文字列に変換する等も可能で、入力ミスを軽減することができる。
【００７１】
図１３は、項目追加時のラベル作成画面の具体的な表示例を示す動作説明図、図１４は、変換ファイルの具体的な一例を示す説明図である。
【００７２】
ラベル２に印刷される項目を追加する場合、図１３に示すように、ラベル作成画面６２において、ラベル表示領域６０で特定情報入力枠６４を新たに設定し、例えば「検査者」という文字列を入力する。一方、表示名入力部６７に表示名４４として「検査者」という文字列を入力する。そして、図１４に示す変換ファイル４２は、ファイル名４３を「検査者」とする。
【００７３】
変換ファイル４２は、入力値Ａとして、予め決められた数値情報が設定される。本例では、２１００，２２００，２３００・・・等の数字列である。出力値Ｂは、ラベルに実際に印刷される特定情報で、検査者の氏名である。
【００７４】
図１３に示すようなラベルのレイアウトデータで構成されるデータファイル４１と、図１４に示すような変換ファイル４２がメモリカード４０に記憶され、ラベルプリンタ１Ａに取り込まれる。
【００７５】
ラベルプリンタ１Ａでは、表示部１２に表示名４４として、「Ｈｅｒｔｚ」という文字列と、「検査者」という文字列が例えば順番に表示される。表示部１２に「検査者」の表示名４４を表示し、図１４に示す変換ファイル４２で予め設定された入力値Ａの中から所望の入力値を入力する。
【００７６】
ラベルプリンタ１ＡのＭＰＵ１４では、表示名４４である「検査者」で変換ファイル４２を参照し、入力操作部１３で入力された所定の数値、例えば「２１００」との入力値Ａに対して、対応する出力値Ｂである「検査：山本」との文字列を読み出す。
【００７７】
図１５は、印刷されるラベルの一例を示す説明図で、検査者を示す特定情報３として、「検査：山本」との文字列が印刷される。このように、特定情報３の値を変更可能とする項目を追加する場合、情報処理装置５０Ａで、特定情報入力枠６４を追加すると共に、表示名入力部６７で表示名を入力し、変換ファイル４２を作成すれば良い。
【００７８】
また、ラベルプリンタ１Ａで数字は入力できるが、漢字の入力ができないような仕様であっても、入力値Ａを数字の組み合わせで設定することで、漢字の表記を変更して印刷できるようになる。従って、ラベルプリンタ１Ａで入力可能な文字の種類の制約を受けずに、ラベルの内容をラベルプリンタ１Ａ側で変更できる。
【００７９】
図１６は、変換規則の他の例を示す動作説明図である。図１６の例では、入力値として商品の価格が入力されると、商品の価格と税込み価格の両方が出力値として得られる例で、変換規則を模式的に示す。項目情報４として、「定価」と「税込み価格」が設定される。特定情報３としては、数字の文字列で入力される入力値Ａに対して、「定価」に対応して文字「円」を付加する変換規則と、「税込み価格」に対応して、入力値Ａに１．０５を乗算し文字「円」を付加する変換機能を設定する。
【００８０】
これにより、入力値Ａとして「１０００」との文字列を入力すると、「定価」に対応して「１０００円」との文字列が印刷され、「税込み価格」に対応して「１０５０円」との文字列が印刷される。
【００８１】
従って、ある１つの値を入力すれば、所定の変換規則に従い複数の特定情報を得ることができ、入力が簡素化される。
【産業上の利用可能性】
【００８２】
本発明は、ラベルを作成する装置とラベルを印刷する装置が独立した構成で、印刷装置だけでラベルの印刷が可能なラベルプリンタに適用できる。
【符号の説明】
【００８３】
１Ａ・・・ラベルプリンタ、２・・・ラベル、３・・・特定情報、４・・・項目情報、１０・・・入力装置、２０・・・印刷装置、４０・・・メモリカード、４１・・・データファイル、４２・・・変換ファイル、４３・・・ファイル名、４４・・・表示名、５０Ａ・・・情報処理装置、６０・・・ラベル表示領域、６１・・・属性設定領域、６２・・・ラベル作成画面、６３・・・レイアウト情報、６４・・・特定情報入力枠、６５・・・項目情報入力枠、６６・・・変更許可チェックボックス、６７・・・表示名入力部
【図１】
2010179521.tif 000003
【図２】
2010179521.tif 000004
【図３】
2010179521.tif 000005
【図４】
2010179521.tif 000006
【図５】
2010179521.tif 000007
【図６】
2010179521.tif 000008
【図７】
2010179521.tif 000009
【図８】
2010179521.tif 000010
【図９】
2010179521.tif 000011
【図１０】
2010179521.tif 000012
【図１１】
2010179521.tif 000013
【図１２】
2010179521.tif 000014
【図１３】
2010179521.tif 000015
【図１４】
2010179521.tif 000016
【図１５】
2010179521.tif 000017
【図１６】
2010179521.tif 000018